(57)【要約】【課題】システムの運転停止時に、燃料電池が劣化することを簡易に抑制できる燃料電池システムを課題とする。【解決手段】燃料電池を冷却する冷却手段を備えた燃料電池システムにおいて、冷却手段は、燃料電池システムの運転停止時に、燃料電池を通常の運転時よりも急速に冷却する。【選択図】図１
2007328972.tif 000002
【特許請求の範囲】
【請求項１】
燃料電池と、前記燃料電池を冷却する冷却手段と、を備えた燃料電池システムにおいて、
前記冷却手段は、当該燃料電池システムの運転停止時に、前記燃料電池を通常の運転時よりも急速に冷却する、燃料電池システム。
【請求項２】
前記冷却手段は、前記燃料電池に冷媒を通流させるように構成されており、
前記冷却手段は、前記運転停止時に、前記燃料電池に通流させる前記冷媒の流量を前記通常の運転時よりも多くする、請求項１に記載の燃料電池システム。
【請求項３】
前記冷却手段は、前記燃料電池に冷媒を循環供給する循環通路と、前記循環通路内の冷媒を圧送するポンプと、を備え、
前記冷却手段は、前記運転停止時に、前記ポンプの回転数を前記通常の運転時よりも多くする、請求項１又は２に記載の燃料電池システム。
【請求項４】
前記冷却手段は、前記燃料電池に冷媒を循環供給する循環通路と、前記循環通路に設けられたラジエータと、前記ラジエータに外気を送風するファンと、を備え、
前記冷却手段は、前記運転停止時に、前記ファンの回転数を前記通常の運転時よりも多くする、請求項１又は２に記載の燃料電池システム。
【請求項５】
前記冷却手段は、前記燃料電池に冷媒を循環供給する循環通路と、前記循環通路に設けられ、空調装置で用いられる空調気体と冷媒とを熱交換することにより当該冷媒を冷却する熱交換器と、を備え、
前記冷却手段は、前記運転停止時に、前記通常の運転時よりも前記空調気体を前記熱交換器に多く導入する、請求項１又は２に記載の燃料電池システム。
【請求項６】
前記冷却手段は、前記燃料電池に設けられたペルチェ素子で構成されている、請求項１に記載の燃料電池システム。
【発明の詳細な説明】
【技術分野】
【０００１】
本発明は、燃料電池の劣化を防止する燃料電池システムに関するものである。
【背景技術】
【０００２】
燃料電池は、燃料極（アノード）に供給された燃料ガス中の水素と、空気極（カソード）に供給された酸化ガス中の酸素との電気化学反応によって、電力を発生する。この電気化学反応は発熱反応である。固体高分子型やリン酸型の燃料電池の場合、アノード及びカソードには、カーボン素材をベースに白金等の触媒が担持（結着）されたものが一般に用いられる。
【０００３】
ところで、燃料電池システムの運転停止時には、燃料電池の内部に酸素や水素が残留する場合がある。この残留酸素及び水素によって、アノード及びカソードのカーボンが酸化して、燃料電池の寿命を短くすることが知られている。この現象（以下、カーボン酸化という場合がある。）は、特にカソードで起き易いが、電解質膜をクロスリークした酸素によってアノードでも起きる。
【０００４】
従来、燃料電池の停止時にアノードの劣化を防止するものとして、例えば特許文献１に記載の燃料電池システムが知られている。この燃料電池システムでは、システムの運転停止時に、アノード及びカソードへの燃料ガス及び酸化ガスの供給を停止し、不活性ガスをこれらに供給することで、残留酸素及び水素を不活性ガスで置換するようにしている。
【特許文献１】特開２００５−１００８４６号公報
【発明の開示】
【発明が解決しようとする課題】
【０００５】
しかし、このような燃料電池システムでは、不活性ガスを供給する装置が必要であり、全体としてシステムが大型化し、制御が複雑化し易かった。
【０００６】
本発明は、システムの運転停止時に、燃料電池が劣化することを簡易に抑制できる燃料電池システムを提供することをその目的としている。
【課題を解決するための手段】
【０００７】
上記目的を達成するべく、本発明の燃料電池システムは、燃料電池と、燃料電池を冷却する冷却手段と、を備えた燃料電池システムにおいて、冷却手段は、燃料電池システムの運転停止時に、燃料電池を通常の運転時よりも急速に冷却するものである。
【０００８】
かかる構成によれば、通常の運転時に電気化学反応によって上昇した燃料電池の温度が、運転停止時に急速に降下する。これにより、燃料電池に残留したガスによってもたらされる燃料電池の劣化反応（例えば、上記したカーボン酸化）を遅らせることができる。このように、運転停止時に燃料電池の温度を積極的に下げることで、運転停止時に燃料電池が自然放熱され又は通常の運転時と同様に冷却される場合に比べて、燃料電池の劣化を好適に抑制できる。しかも、そのための構成として燃料電池を冷却する冷却手段を採用しているので、不活性ガスなどを用いなくて済み、システムの小型化に供することができる。
【０００９】
好ましくは、冷却手段は、燃料電池に冷媒を通流させるように構成されており、運転停止時に燃料電池に通流させる冷媒の流量を通常の運転時よりも多くする。
【００１０】
同様に、好ましくは、冷却手段は、燃料電池に冷媒を循環供給する循環通路と、循環通路内の冷媒を圧送するポンプとを備え、運転停止時にポンプの回転数を通常の運転時よりも多くする。
【００１１】
このような構成によれば、燃料電池に通流させる冷媒の流量を増加させるという簡易な方法で燃料電池の温度を下げることができる。
【００１２】
別の好ましい一態様では、冷却手段は、燃料電池に冷媒を循環供給する循環通路と、循環通路に設けられたラジエータと、ラジエータに外気を送風するファンとを備え、運転停止時にファンの回転数を通常の運転時よりも多くしてもよい。
【００１３】
かかる構成によれば、通常の運転時よりもファンの回転数が上がり、ラジエータでの冷媒の冷却が促進される。これにより、運転停止時に、燃料電池を急速に冷却できる。
【００１４】
他の好ましい一態様では、冷却手段は、燃料電池に冷媒を循環供給する循環通路と、循環通路に設けられ、空調装置で用いられる空調気体と冷媒とを熱交換することにより冷媒を冷却する熱交換器とを備え、運転停止時に通常の運転時よりも空調気体を熱交換器に多く導入してもよい。
【００１５】
かかる構成によれば、空調装置で用いられる空調気体を有効に利用して、冷媒を冷却できる。これにより、運転停止時に燃料電池の温度をより一層急速に下げることができる。
【００１６】
さらに別の好ましい一態様では、冷却手段は、燃料電池に設けられたペルチェ素子で構成されてもよい。
【００１７】
この構成によれば、運転停止時に、ペルチェ効果によって燃料電池を急速冷却できる。また、ペルチェ素子に流す電流の方向を逆にすれば、燃料電池を暖機することもできる。
【００１８】
また、本発明の燃料電池システムは、前記燃料電池に酸化ガスを供給する酸化ガス供給系を備え、前記酸化ガス供給系は、前記運転停止時に、前記燃料電池への酸化ガスの供給を停止することが好ましい。こうすることで、燃料電池でのカーボン酸化をより好適に抑制できる。
【発明の効果】
【００１９】
以上説明したように、本発明の燃料電池システムによれば、その運転停止時に、燃料電池を急速冷却するので、燃料電池の劣化を簡易に抑制できる。
【発明を実施するための最良の形態】
【００２０】
以下、添付図面を参照して、本発明の好適な実施形態に係る燃料電池システムについて説明する。
【００２１】
＜第１実施形態＞
図１は、燃料電池システム１の構成図である。
燃料電池システム１は、燃料電池自動車（ＦＣＨＶ）、電気自動車、ハイブリッド自動車などの車両に搭載することができ、もちろん車両のみならず各種移動体（例えば、船舶や飛行機、ロボットなど）や定置型電源に適用できるものである。ここでは、車両に搭載した燃料電池システム１を一例に説明する。
【００２２】
燃料電池システム１は、燃料電池２と、酸化ガスとしての空気（酸素）を燃料電池２に供給する酸化ガス配管系３（酸化ガス供給系）と、燃料ガスとしての水素ガスを燃料電池２に供給する燃料ガス配管系４と、燃料電池２に冷媒を供給して燃料電池２を冷却する冷媒配管系５と、システム全体を統括制御する制御装置７と、を備えている。
【００２３】
燃料電池２は、例えば固体高分子電解質型で構成され、多数の単セルを積層したスタック構造を備えている。燃料電池２の単セルは、イオン交換膜からなる電解質の一方の面に空気極を有し、他方の面に燃料極を有し、さらに空気極及び燃料極を両側から挟みこむように一対のセパレータを有している。
空気極及び燃料極は、例えば、ベースの材料としてカーボンを用いて形成され、白金や白金合金などの触媒がカーボンに担持されている。一方のセパレータの酸化ガス流路２ａに酸化ガスが供給され、他方のセパレータの燃料ガス流路２ｂに燃料ガスが供給される。供給された燃料ガス及び酸化ガスの電気化学反応により、燃料電池２は電力を発生する。燃料電池２での電気化学反応は発熱反応であり、固体高分子電解質型の燃料電池２の温度は約６０〜７０℃となる。
【００２４】
酸化ガス配管系３は、燃料電池２に供給される酸化ガスが流れる供給路１１と、燃料電池２から排出された酸化オフガスが流れる排出路１２と、を有している。供給路１１と排出路１２との間は、酸化ガス流路２ａによって連通されている。供給路１１に設けられたコンプレッサ１５が、制御装置７により制御されて、フィルタ１３を介して酸化ガスを取り込み、燃料電池２に圧送する。圧送される酸化ガスは、加湿器１５によって加湿される。排出路１２を流れる酸化オフガスは、背圧調整弁１６を通って加湿器１５で水分交換に供された後、最終的に排ガスとしてシステム外の大気中に排気される。
【００２５】
燃料ガス配管系４は、水素供給源２１と、水素供給源２１から燃料電池２に供給される水素ガスが流れる供給路２２と、燃料電池２から排出された水素オフガス（燃料オフガス）を供給路２２の合流点Ａに戻すための循環路２３と、循環路２３内の水素オフガスを供給路２２に圧送するポンプ２４と、循環路２３に分岐接続されたパージ路２５と、を有している。元弁２６を開くことで水素供給源２１から供給路２２に流出した水素ガスは、調圧弁２７その他の減圧弁、及び遮断弁２８を経て、燃料電池２に供給される。パージ路２５には、水素オフガスを水素希釈器（図示省略）に排出するためのパージ弁３３が設けられている。
【００２６】
冷媒配管系５は、燃料電池２内の冷却流路２ｃに連通する循環通路４１と、循環通路４１に設けられた冷却ポンプ４２と、燃料電池２から排出される冷媒を冷却するラジエータ４３と、ラジエータ４３をバイパスするバイパス流路４４と、ラジエータ４３及びバイパス流路４４への冷却水の通流を設定する切替え弁４５と、を有している。冷媒としては、例えば冷却水を用いることができる。
【００２７】
循環通路４１は、燃料電池２に冷媒を循環供給する。循環通路４１は、燃料電池２の冷媒入口の近傍に設けられた温度センサ４６と、燃料電池２の冷媒出口の近傍に設けられた温度センサ４７と、ラジエータ４３の下流側に設けられた温度センサ４８と、を有している。温度センサ４７が検出する冷媒温度は、燃料電池２の内部温度を反映する。また、温度センサ４８が検出する冷媒温度は、ラジエータ４３内の温度を反映する。
【００２８】
冷却ポンプ４２は、循環通路４１内の冷媒を燃料電池２に圧送する。冷却ポンプ４２は、各種のタイプで構成することができ、例えば容積型で構成されている。例えば、冷却ポンプ４２は、例えば、図示省略した三相交流のモータと、モータの駆動軸に連結されたインペラを有するコンプレッサ部と、を備えている。モータは、その駆動、停止及び回転数を制御装置７によって制御される。冷却ポンプ４２は、モータの回転数を制御することでインペラの回転数を制御でき、それにより燃料電池２に通流させる冷媒の流量を制御できる。なお、冷却ポンプ４２の位置をラジエータ４３の下流側としたが、もちろんラジエータ４３や切替え弁４５の上流側としてもよい。
【００２９】
ラジエータ４３は、循環通路４１に設けられている。ラジエータ４３は、燃料電池２の発電反応により昇温した冷媒を導く通路を内部に有しており、冷媒は、ラジエータ４３内の通路を通過することで外気と熱交換される（放熱される）。ラジエータ４３は、例えば燃料電池車両の前部に設けられる。ラジエータ４３には、その内部の通路に外気を送風するためのファン４９が併設されている。ファン４９は、ラジエータ４３での冷媒の冷却を促進する。ファン４９は、制御装置７に接続されており、その駆動、停止及び回転数を制御装置７によって制御される。
【００３０】
切替え弁４５は、三方弁構造を有する例えばロータリバルブからなり、冷媒がラジエータ４３及びバイパス流路４４の一方にのみ流れるように、又はこの両方に所定の分流比で流れるように切り替え可能に構成されている。例えば、切替え弁４５がラジエータ４３側に切り替えられると、ラジエータ４３による放熱効果を受けた冷媒が燃料電池２に流入する。切替え弁４５は、制御装置７に接続されており、弁の開度が制御装置７によって制御される。
【００３１】
なお、符号５１は電気ヒーターを示しており、電気ヒーター５１は、制御装置７によって制御され、バイパス流路４４を流れる冷媒を選択的に加熱する。また、符号５２は、循環通路４１に接続されたイオン交換機器を示している。
【００３２】
制御装置７は、内部にＣＰＵ，ＲＯＭ，ＲＡＭを備えたマイクロコンピュータとして構成される。ＣＰＵは、制御プラグラムに従って所望の演算を実行して、後述する運転停止時における燃料電池２の冷却制御など、種々の処理や制御を行う。ＲＯＭは、ＣＰＵで処理する制御プログラムや制御データを記憶する。ＲＡＭは、主として制御処理のための各種作業領域として使用される。なお、制御装置７及び冷媒配管系５が、特許請求の範囲に記載の「冷却手段」として機能する。
【００３３】
制御装置７は、冷媒配管系５に用いられる各温度センサ４６，４７，４８や、燃料電池車両のアクセル開度を検出するアクセル開度センサなどの各種センサからの検出信号を入力する。また、制御装置７は、上記した各構成要素、例えば冷媒配管系５においては、冷却ポンプ４２、切替え弁４５及びファン４９に制御信号を出力する。この制御により、燃料電池システム１の通常の運転時においては、燃料電池２が所定の温度（約６０〜７０℃）に保たれる。なお、「通常の運転時」とは、燃料電池システム１への要求出力に応じて、酸化ガス配管系３、燃料ガス配管系４及び冷媒配管系５が制御されて、燃料電池２が発電しているときをいう。
【００３４】
ここで、燃料電池システム１の運転停止時（以下、単に「運転停止時」という。）における制御例について説明する。
なお、運転停止時とは、上記した通常の運転時とは異なるときをいい、具体的には通常の運転を終了させるときをいう。燃料電池システム１の運転終了後では、燃料電池２には、酸化ガス、燃料ガス及び冷媒のいずれも供給されず、燃料電池２の発電が停止する。
【００３５】
運転停止時における処理フローは、燃料電池システム１の運転停止が指令されることで開始される。この指令は、例えば車両の運転手によるイグニッションスイッチのＯＦＦ操作等によってなされる。この指令により、制御装置７による制御は、通常の運転時におけるものから運転停止時におけるものへと移行する。制御装置７は、運転停止時に冷媒配管系５を制御し、燃料電池２が通常の運転時よりも急速に冷却されるようにする。
【００３６】
具体的には、制御装置７は、運転停止時に、冷却ポンプ４２におけるモータの回転数を通常の運転時よりも上げる。こうすることで、燃料電池２に通流させる冷媒の流量を多くする。このとき、制御装置７は、冷却ポンプ４２におけるモータの回転数を最大にし、燃料電池２に最大流量の冷媒を通流させることが好ましい。また、冷却ポンプ４２の制御と同時に、切替え弁４５をラジエータ４３側に全開に切り替え、バイパス流路４４に冷媒を流さないで循環通路４１のみに冷媒を流すようにする。さらに、制御装置７は、運転停止時に、ファン４９の回転数を通常の運転時よりも上げる。こうすることで、ラジエータ４３での冷媒の冷却を促進する。この場合にも、制御装置７は、ファン４９の回転数を最大にすることが好ましい。
【００３７】
運転停止時の最も好ましい制御例は、冷却ポンプ４２及びファン４９を最大回転数とし、切替え弁４５をラジエータ４３側に全開に切り替えることである。ただし、運転停止時の一態様では、ラジエータ４３側に少なくとも一部の冷媒が流れればよく、このときに冷却ポンプ４２及びファン４９の少なくとも一方の回転数を通常時よりも上げるようにすればよい。要するに、冷媒配管系５は、通常の運転時よりも運転停止時のほうにおいて、燃料電池２での冷却効果が大きくなるように制御されて、短時間で（急速に）燃料電池２の温度を降下させるようにする。例えば、冷媒配管系５は、通常の運転時における約６０〜７０℃から、約４０℃程度へと急激に燃料電池２の温度を効果させる。
【００３８】
以上説明したように、本実施形態の燃料電池システム１によれば、運転停止時に、燃料電池２を通常の運転時よりも急速に冷却するため、燃料電池２の温度を急速に降下できる。これにより、運転停止指令から実際に運転停止になるまでの間において、燃料電池２内に残留した酸化ガスや燃料ガスに起因して起きる、燃料電池２を劣化させる反応を遅らせることができる。具体的には、運転停止時に燃料電池２が自然放熱され又は通常の運転時と同様に冷却される場合に比べて、燃料電池２の空気極及び燃料極がカーボン酸化する反応を遅らせることができる。これにより、セル電圧が恒常的に低下する等の発電性能の低下を抑制でき、燃料電池の劣化を好適に抑制できる。
【００３９】
また、本実施形態では、燃料電池２を急速に冷却するのに、既存の冷媒配管系５を用いることができる。このため、従来のように不活性ガスなどを用いなくて済み、燃料電池システム１の小型化に供することができる。しかも、冷却ポンプ４２の回転数の制御により、燃料電池２に通流させる冷媒の流量を増加したり、及び／又はファン４９の回転数の制御により、冷媒の冷却を促進したりと、簡易な制御で燃料電池２を急速に冷却できる。
【００４０】
なお、本実施形態の燃料電池システム１は、運転停止時に燃料電池２の掃気処理を行う場合にも適用できる。具体的には、運転停止時に、冷媒配管系５による燃料電池２の急速冷却制御に前後して掃気処理を実行すればよいが、好ましくは、掃気処理の実行後に燃料電池２への酸化ガスの供給を停止し（例えば、コンプレッサ１４の駆動を停止する。）てから、燃料電池２の急速冷却制御を行うとよい。
【００４１】
ここで、掃気処理とは、少なくとも燃料電池２内の水分を外部に排出することで燃料電池２内を掃気することをいう。カソード系統（酸化ガス配管系３）の掃気処理は、燃料電池２への水素ガスの供給を停止した状態で、コンプレッサ１４の駆動によって酸化ガスを酸化ガス流路２ａに供給し、この供給した酸化ガスによって、酸化ガス流路２ａに残る生成水を含む水分を排出路１２へと排出することで行われる。
【００４２】
＜第２実施形態＞
次に、図２を参照して、第２実施形態に係る燃料電池システム１について相違点を中心に説明する。第１実施形態との相違点は、空調装置１００からの空調気体で冷媒を冷却する構成を備えたことである。なお、第１実施形態と同一となる第２実施形態の構成要素については、第１実施形態と同一の符号を付してその詳細な説明を省略する。また、冷媒配管系５以外の燃料電池システム１の構成は、第１実施形態と同様であるので、図２では省略している。
【００４３】
空調装置１００は、例えば燃料電池車両の車室内の温度を調整するために用いられるものであり、外気を空調気体として車室内に導入する外気導入型の構成であってもよいし、車室内の空気を空調気体として循環させる内気循環型の構成であってもよい。また、空調装置１００は、燃料電池２の排熱、つまり冷媒配管系５を流れる冷媒の排熱を利用して空調気体を加熱できるタイプのものでもよい。さらに、空調装置１００は、燃料電池システム１から電力を供給されるものであってもよい。
【００４４】
空調装置１００は、空調気体を循環させる循環ラインの一つとして、開閉弁１０１を備えた循環流路１０２を有している。開閉弁１０１は、制御装置７により制御され、循環流路１０２を開閉する。循環流路１０２は、開閉弁１０１の下流側に熱交換器１０３が設けられている。熱交換器１０３は、循環通路４１にも設けられており、空調気体と冷媒とを熱交換する。循環流路１０２を流れる空調気体の温度が冷媒よりも低いときには、熱交換器１０３では、冷媒が空調気体により冷却される。なお、本実施形態では、冷媒配管系５、制御装置７、空調装置１００、開閉弁１０１、循環流路１０２及び熱交換器１０３が、特許請求の範囲に記載の「冷却手段」として機能する。
【００４５】
本実施形態の燃料電池システム１では、制御装置７は、運転停止時に、通常の運転時よりも空調気体を熱交換器１０３に多く導入し、空調気体により冷媒を冷却するように空調装置１００を制御する。具体的には、制御装置７は、運転停止時に、開閉弁１０１を開いて、冷媒よりも低温の空調気体を熱交換器１０３に導入するように制御する。こうすることで、運転停止時に、燃料電池２を通常の運転時よりも急速に冷却でき、第１実施形態と同様に、燃料電池２の劣化を抑制できる。
【００４６】
なお、循環流路１０２を流れる空調気体の温度は、冷媒よりも低ければよく、好ましくは、空調装置１００が設定可能な最低温度である。また、運転停止時には、上記した空調気体による冷媒の冷却制御のみを行っても良いが、この本実施形態の冷却制御と第１実施形態で説明した急速冷却制御とを併用しても良い。もちろん、本実施形態においても掃気処理を実行できることは言うまでもない。
【００４７】
＜第３実施形態＞
次に、図３を参照して、第３実施形態に係る燃料電池システム１について相違点を中心に説明する。第１実施形態との相違点は、冷却手段の一つとして、燃料電池２にペルチェ素子２００を設けたことである。なお、第１実施形態と同一となる第２実施形態の構成要素については、第１実施形態と同一の符号を付してその詳細な説明を省略する。また、酸化ガス配管系３及び燃料ガス配管系４に関する構成は、第１実施形態と同様であるので、図３では省略している。
【００４８】
ペルチェ素子２００は、電流を流す方向を変えられることによって、ヒーターとしての機能と、クーラーとしての機能とを変換することができるものである。ペルチェ素子２００は、燃料電池２、燃料電池システム１の図示省略したバッテリ、又は図示省略した電源を供給源として、電流を供給される。ペルチェ素子２００は、燃料電池２に取り付けられる。例えば、ペルチェ素子２００は、スタック構造の燃料電池２の外面に面接触するようにして取り付けられる。ペルチェ素子２００は、制御装置７により通電を制御され、電流を流される方向を制御される。
【００４９】
本実施形態の燃料電池システム１では、制御装置７は、運転停止時に、ペルチェ素子２００をクーラーとして機能させるように、ペルチェ素子２００への通電を制御する。こうすることで、運転停止時に、ペルチェ効果によって燃料電池２を通常の運転時よりも急速に冷却でき、第１実施形態と同様に、燃料電池２の劣化を抑制できる。第１実施形態と比べて特に有用となる点は、ペルチェ素子２００によって、燃料電池２の昇温も可能な点である。これにより、燃料電池システム１の低温始動時に、燃料電池２を速やかに暖機できる。
【００５０】
なお、運転停止時には、上記したペルチェ素子２００だけで燃料電池２を急速に冷却するようにしてもよいが、これと併用して、第１実施形態で説明した冷媒配管系５による急速冷却制御を行っても良いし、あるいは、第２実施形態で説明した空調装置１００による冷媒の冷却制御を行っても良い。要するに、第１〜第３実施形態で説明した制御例は、互いに組み合わせることができる。また、本実施形態においても掃気処理を実行できることは言うまでもない。
【００５１】
もちろん、本発明の燃料電池システム１による運転停止時の制御は、第１〜第３実施形態で説明した制御例以外であってもよい。例えば、冷却手段として単独の冷媒式冷却装置を用いて、運転停止時に燃料電池２を通常の運転時よりも急速に冷却してもよい。この場合、単独の冷媒式冷却装置としては、車両に搭載可能な空調装置であってもよい。また、供給路２２を構成する配管を利用して、燃料電池２を直接的に冷却又は冷媒配管系５の冷媒を冷却することで、運転停止時に燃料電池２を急速冷却してもよい。
【００５２】
また、本発明の燃料電池システム１で対象となる燃料電池２の例として、固体高分子型について説明したが、これに限るものではなく、他の種類の燃料電池にも適用できる。
【図面の簡単な説明】
【００５３】
【図１】第１実施形態に係る燃料電池システムの構成図である。
【図２】第２実施形態に係る燃料電池システムの要部を示す構成図である。
【図３】第３実施形態に係る燃料電池システムの要部を示す構成図である。
【符号の説明】
【００５４】
１：燃料電池システム、２：燃料電池、５：冷媒配管系（冷却手段）、７：制御装置、４１：循環通路、４２：冷却ポンプ、４３：ラジエータ、４５：切替え弁、４９：ファン、１００：空調装置、１０３：熱交換器、２００：ペルチェ素子
【図１】
2007328972.tif 000003
【図２】
2007328972.tif 000004
【図３】
2007328972.tif 000005